(57)【要約】【課題】リモート端末からカメラを活動化する方法を提供すること。【解決手段】第１および第２の端末１、３が無線通信ネットワーク中に位置し、前記第１の端末１が、第２の端末にコマンドを送信すると共に第２の端末３からコマンドを受信する手段を含み、前記第１および第２の端末１、３が、ＷＡＰプロトコルによるインスタントメッセージングサービスに接続されている、第１の無線通信端末１から、第２の無線通信端末３のカメラを活動化する方法であって、前記第１の端末１が第２の端末３にコマンドを送信し、第２の端末３が前記コマンドを受信し、それを解析し、前記コマンドの解析により、第２の端末３でカメラが活動化され、カメラにより取り込まれた少なくとも１つの画像が第２の端末３に記録されることを特徴とする方法。【選択図】      図１
2005253046.tif 000002
【特許請求の範囲】
【請求項１】
第１および第２の端末（１、３）が無線通信ネットワーク中に位置し、前記第１の端末（１）が、第２の端末にコマンドを送信すると共に第２の端末（３）からコマンドを受信する手段を含み、第１および第２の端末（１、３）が、ＷＡＰプロトコルによるインスタントメッセージングサービスに接続されている、第１の無線通信端末（１）から、第２の無線通信端末（３）のカメラをリモートで活動化する方法であって、
前記第１の端末（１）が第２の端末（３）にコマンドを送信し、
第２の端末（３）が前記コマンドを受信し、それを解析し、
前記コマンドの解析により、第２の端末（３）でカメラが活動化され、カメラにより取り込まれた少なくとも１つの画像が第２の端末（３）に記録される
ことを特徴とする方法。
【請求項２】
前記記録された画像が、第２の端末（３）から第１の端末（１）に送信されることを特徴とする請求項１に記載の方法。
【請求項３】
前記コマンドが、前記無線通信ネットワーク中に位置するサーバ（２）を介して第２の端末（３）に送信されることを特徴とする請求項２に記載の方法。
【請求項４】
前記コマンドが第１のコマンドおよび第２のコマンドからなることを特徴とする請求項１に記載の方法。
【請求項５】
第１のコマンドが第１の端末（１）によりサーバ（２）に送信され、第２のコマンドがサーバ（２）から第２の端末（３）に送信されることを特徴とする請求項４に記載の方法。
【請求項６】
第１のコマンドが《ＳｅｎｄＣａｍＳｈｏｔＲｅｑｕｅｓｔ》型コマンドであることを特徴とする請求項５に記載の方法。
【請求項７】
第１の端末（１）が第１のコマンドを送信した後に、サーバ（２）が第１の端末（１）に、第１のコマンドが実行されていることを示す応答を送信することを特徴とする請求項５に記載の方法。
【請求項８】
第２のコマンドが《ＤｅｌｉｖｅｒＣａｍＳｈｏｔＲｅｑｕｅｓｔ》型コマンドであることを特徴とする請求項５に記載の方法。
【請求項９】
サーバ（２）が第２のコマンドを送信した後に、端末（３）がサーバ（２）に、第２のコマンドが端末（３）によって識別されていることを示す応答を送信することを特徴とする請求項５に記載の方法。
【請求項１０】
第１の端末（１）が第２の端末（３）に、所定外のテキストおよび前記コマンドを含むメッセージを送信することを特徴とする請求項１に記載の方法。
【請求項１１】
カメラの活動化が写真またはビデオを撮影することからなることを特徴とする請求項１に記載の方法。
【請求項１２】
第２の端末（３）が、第２の端末（３）によるコマンドの実行を無効にする設定を含むことを特徴とする請求項１に記載の方法。
【請求項１３】
第２の端末にコマンドを送信すると共に第２の端末（３）からコマンドを受信する手段を含む無線通信端末（１）であって、前記第１と前記第２の端末（１、３）はＷＡＰプロトコルによるインスタントメッセージングサービスに接続され、少なくとも前記第２の端末（３）がカメラを含む無線通信端末（１）であって、前記端末（１）によって第２の端末（３）にコマンドが送信され、前記コマンドが第２の端末（３）により受信、解析され、前記コマンドの解析により第２の端末（３）でカメラが活動化され、カメラにより取り込まれた少なくとも１つの画像が第２の端末（３）に記録されることを特徴とする端末。
【請求項１４】
前記記録された画像が、第２の端末（３）から第１の端末（１）に送信されることを特徴とする請求項１３に記載の端末（１）。
【発明の詳細な説明】
【技術分野】
【０００１】
本発明は、第１の無線通信端末から、第２の無線通信端末中のカメラをリモートで活動化する方法に関する。
【背景技術】
【０００２】
本発明の１つの非排他的適用分野は、無線通信システムで動作する移動無線通信端末である。本発明は、具体的には、それだけに限らないが、ＧＳＭ（Ｇｒｏｕｐｅ  Ｓｙｓｔｅｍｅｓ  Ｍｏｂｉｌｅｓ‐公衆無線通信システムグループ）、ＤＣＳ、ＰＣＳまたはＵＭＴＳ規格、あるいはＤＥＣＴ（ディジタル欧州コードレス遠隔通信）型の電話によるシステムまたはネットワークに適用可能である。
【０００３】
無線通信システムは、口頭による通信の交換に使用され、ＳＭＳ（ショートメッセージサービス）形式でのメッセージの交換にも使用される。
【０００４】
２つの無線通信端末間での新しい形の文字による通信は、《インスタントメッセージング》という名称で知られているサービスなどの瞬時会話サービスであり、このサービスは、現在、非常に成功している。
【０００５】
このサービスは、ＷＡＰ（無線アプリケーションプロトコル）トランスポートプロトコルに基づいている。
【０００６】
２人の無線通信端末ユーザは、ＳＭＳの場合のように、各ユーザごと、各送信メッセージごとにアドレスを表示せずに、文字によるメッセージを通して会話することができる。
【０００７】
「インスタントメッセージング」の１つの利点は、「インスタントメッセージング」に接続された２人より多くのユーザが、各送信メッセージで各ユーザのすべてのアドレスを表示する必要なしに、メッセージを書き込むことにより同時に会話し得ることである。
【０００８】
したがって、ユーザは、バディリストと呼ばれるディレクトリに記録された一連の友人らと交信状態のままでいることができる。これらの接続された仲間の間でのメッセージ交換は、いわゆるディスカッションウィンドウに書き込まれる。
【０００９】
対話中に、「インスタントメッセージング」に接続されたユーザは、《インスタントメッセージング》に接続されている、自分のバディリストに記載された別のユーザの端末に対して措置を講じようとすることができる。
【発明の開示】
【発明が解決しようとする課題】
【００１０】
本発明の目的は、第１の無線通信端末から、第２の無線通信端末のカメラを活動化するための解決法を提供することである。
【課題を解決するための手段】
【００１１】
本発明は、第１および第２の端末が無線通信ネットワーク中に位置し、前記第１の端末が、第２の端末にコマンドを送信すると共に第２の端末からコマンドを受信する手段を含み、前記第１および第２の端末が、ＷＡＰプロトコルによるインスタントメッセージングサービスに接続されている、第１の無線通信端末から、第２の無線通信端末のカメラを活動化する方法であって、
前記第１の端末が第２の端末にコマンドを送信し、
第２の端末が前記コマンドを受信し、それを解析し、
コマンドの解析により、第２の端末でカメラが活動化され、カメラにより取り込まれた少なくとも１つの画像が第２の端末に記録される
ことを特徴とする方法に関するものである。
【００１２】
これを達成するために、本発明は、第２の端末との間でコマンドを送受信する手段を含む無線端末にも関連し、前記端末と前記第２の端末はＷＡＰプロトコルに準拠したインスタントメッセージングサービスに接続され、少なくとも前記第２の端末がカメラを含む無線通信端末であって、前記端末から前記第２の端末にコマンドが送信され、前記コマンドが第２の端末により受信、解析され、前記コマンドの解析により第２の端末でカメラが活動化され、カメラにより取り込まれた少なくとも１つの画像が第２の端末で記録されることを特徴とする。
【００１３】
別の実施形態では、端末は、前記記録された画像が第２の端末から第１の端末に送信されることを特徴とする。
【００１４】
好ましくは、本発明による端末は、移動無線通信端末のグループ、および携帯情報端末の間で選択される。
【００１５】
本発明の他の特徴および利点は、限定のためではなく例示のために示す、本発明の具体的実施形態の以下の説明を、以下に示す図面と共に読めば明らかになるであろう。
【発明を実施するための最良の形態】
【００１６】
まず、インスタントメッセージングにより相互に通信しようとする人たちのバディリストが、各端末に記録される。
【００１７】
第１の実施形態では、図１の第１の端末１のユーザおよび第２の端末３の少なくとも１人の他のユーザが、インスタントメッセージングサービスに接続される。
【００１８】
第１の端末のユーザは、インスタントメッセージングセッションで第２の端末３にプロトコルコマンドを送信することにより、第２の端末３の１つでカメラを活動化しようとする。
【００１９】
以下で定義するプロトコルによれば、第１の端末１は、無線通信システムサーバ２に第１のコマンドを送信し、次いで、サーバ２は、第２の端末３のカメラを活動化するために、バディリスト中の第２の端末３のユーザに第２のコマンドを送信する。
【００２０】
端末１と３とサーバ２との間で使用されるプロトコルは、例えば、以下のものとすることができる。
【００２１】
第１の端末１のユーザがサーバ２に第１のコマンドを送信する：《ＳｅｎｄＣａｍＳｈｏｔＲｅｑｕｅｓｔ》。
【００２２】
サーバ２は、第１のコマンドを実行することが可能であるか否かを指示するために、第１の端末１からの第１のコマンドへの応答を端末１に返信する。この応答は《状況メッセージ》と呼ばれるメッセージとして送信される。
【００２３】
次いで、サーバ２は、第２の端末３でカメラを活動化するために、第２の端末３に第２の《ＤｅｌｉｖｅｒＣａｍＳｈｏｔＲｅｑｕｅｓｔ》コマンドを送信する。
【００２４】
次いで、第２の端末３は、第２の端末（３）による第２のコマンドの識別を可能にする標識からなるサーバ２への応答を返す。この応答は、《状況メッセージ》と呼ばれるメッセージとして送信される。
【００２５】
第２の端末３が第２のコマンドを解析すると、カメラが活動化され、少なくともカメラにより取り込まれた画像が第２の端末３で記録される。
【００２６】
記録された画像が、第２の端末３から第１の端末１に送信される。
【００２７】
例えば、カメラを活動化して、写真、連続写真またはビデオを撮影することができる。第１のコマンドは、ユーザが写真を撮影しようとするか否か、その写真の形式、連続写真および各写真の時間間隔ならびにそれらの形式、又はビデオ及びビデオの所要時間を記述し得る。
【００２８】
また、第２の端末３のユーザに、カメラが活動化される前に、そのユーザにカメラレンズに写るよう動くことを求める第２の《ＤｅｌｉｖｅｒＣａｍＳｈｏｔＲｅｑｕｅｓｔ》コマンドに含まれる所定のテキストを見せることも可能である。
【００２９】
第２の端末３のユーザは、設定を行うことにより、第２の《ＤｅｌｉｖｅｒＣａｍＳｈｏｔＲｅｑｕｅｓｔ》コマンドの受け入れを拒否することもできる。その場合、そのユーザの端末はカメラを活動化しない。
【００３０】
第２の実施形態では、第１の端末１のユーザが、自分のバディリスト中の第２の端末３の１つのカメラを活動化しようとする。カメラは、第１の端末１のユーザと第２の端末３の１つのユーザの間の対話で交換された文字によるインスタントメッセージの１つに含まれるコマンドの形で活動化される。
【００３１】
例えば、この第２の端末３のカメラを活動化し、第１の端末１の画像を送信するコマンドは、《‐ＣＣ‐》型コマンドとし得る。
【００３２】
第２の端末３が第１の端末１により送信されたメッセージを受信すると、第２の端末３は、そのメッセージに含まれるテキストおよびコマンドを解析する。
【００３３】
第２の端末３はそのカメラを活動化し、カメラが画像を取り込み、それを第２の端末３が第１の端末１に送信する。
【００３４】
例えば、カメラの活動化は、写真、連続写真またはビデオを撮影することからなる。第１のコマンドは、ユーザが写真を撮影しようとするか否か、その写真の形式、連続写真および各写真の時間間隔ならびにそれらの形式、又はビデオ及びビデオの所要時間を記述し得る。
【００３５】
本発明により説明したすべてのコマンドは、オープンモービルアライアンスのワイヤレスビレッジ規格、ＯＭＡ−ＩＭＰＳ−ＣＳＰ−Ｖ１＿１−２００２１００１−Ａを満たすものである。
【図面の簡単な説明】
【００３６】
【図１】様々な実施形態において本発明を実装する無線通信ネットワークを示す図である。
【図２】本発明によるトランスポートプロトコルを示す図および表である。
【符号の説明】
【００３７】
１  第１の端末
２  無線通信システムサーバ
３  第２の端末
【図１】
2005253046.tif 000003
【図２】
2005253046.tif 000004
【外国語明細書】
2005253046.tif 000005
2005253046.tif 000006
2005253046.tif 000007
2005253046.tif 000008
2005253046.tif 000009
2005253046.tif 000010
2005253046.tif 000011
2005253046.tif 000012
2005253046.tif 000013
2005253046.tif 000014